(57)【要約】      （修正有）【課題】適切なピント合わせを行い撮影することを可能にする撮影補助装置を提供する。【解決手段】撮影装置より生成された第１の規格に準拠した方式の第１の動画データを受信し、分配する第１の動画データ分配部と、分配された一方の第１の動画データを、再生装置により再生されるコンポーネント信号に変換するコンポーネント信号変換部と、分配された他方の第１の動画データを、表示装置により表示される第２の規格に準拠した方式である第２の動画データに変換する第２の動画データ変換部とを備え、第１の動画データ分配部と、コンポーネント信号変換部と、第２の動画データ変換部とを箱状の収納部に収納した。【選択図】図３
0003162949.tif 000002
【実用新案登録請求の範囲】
【請求項１】
動画撮影可能な撮影装置、画像処理機能を備えた再生装置、表示装置をそれぞれ接続可能な撮影補助装置において、
前記撮影装置より生成された第１の規格に準拠した方式の第１の動画データを受信し、分配する第１の動画データ分配部と、
前記分配された一方の第１の動画データを、前記再生装置により再生されるコンポーネント信号に変換するコンポーネント信号変換部と、
前記分配された他方の第１の動画データを、前記表示装置により表示される第２の規格に準拠した方式である第２の動画データに変換する第２の動画データ変換部とを備え、
前記第１の動画データ分配部と、前記コンポーネント信号変換部と、前記第２の動画データ変換部とを箱状の収納部に収納したことを特徴とする撮影補助装置。
【請求項２】
前記第１の動画データは、ＨＤＭＩ（High-Definition Multimedia Interface）規格のデータであることを特徴とする請求項１記載の撮影補助装置。
【請求項３】
前記コンポーネント信号は、ハイビジョン用の映像信号であることを特徴とする請求項１記載の撮影補助装置。
【請求項４】
前記第２の動画データは、ＳＤＩ（Serial Digital Interface）規格のデータであることを特徴とする請求項１記載の撮影補助装置。
【請求項５】
前記撮影補助装置は、更に、前記収納部に備える部品に対して、電源を供給するためのバッテリーを備えたことを特徴とする請求項１から４いずれか１項記載の撮影補助装置。
【請求項６】
前記撮影補助装置は、更に、前記収納部の底部に、撮影者が肩載せするための保持部が備えたことを特徴とする請求項１から５いずれか１項記載の撮影補助装置。
【請求項７】
前記撮影装置は、動画撮影可能な一眼レフデジタルカメラであることを特徴とする請求項１から６いずれか１項記載の撮影補助装置。
【考案の詳細な説明】
【技術分野】
【０００１】
本考案は撮影補助装置に関し、特に映像データの変換を可能にする撮影補助装置に関するものである。
【背景技術】
【０００２】
従来、一眼レフデジタルカメラにおいて、動画撮影を行う技術が提案されている（特許文献１）。
【０００３】
このようなデジタルカメラ等にショルダーマウント等の撮影補助部材を付加した撮影装置を用いて、放送用撮影現場では、撮影が行われるケースが増加している。
【先行技術文献】
【特許文献】
【０００４】
【特許文献１】特開２００９−３００９６３公報
【考案の概要】
【考案が解決しようとする課題】
【０００５】
しかしながら、例えば、特許文献１のような撮影装置にショルダーマウント等の撮影補助部材を付加したデジタルカメラでは、当該デジタルカメラに内蔵されたディスプレイは撮影補助部材があるため、撮影者から映像が確認しにくい。また、デジタルカメラから出力される信号をそのままテレビ等の表示装置に出力された映像をみると、ピント合わせが、うまくいかないという問題があった。
【０００６】
そこで、本発明は、上記事情に鑑み、撮影装置より生成される動画データを変換し、変換された動画データに対して、画像処理を行う表示装置により、モニタリングすることで、ピント合わせの改善を可能とする撮影補助装置を提供することを目的とするものである。
【課題を解決するための手段】
【０００７】
本考案の撮影補助装置は、動画撮影可能な撮影装置、画像処理機能を備えた再生装置および表示装置をそれぞれ接続可能な撮影補助装置において、撮影装置より生成された第１の規格に準拠した方式の第１の動画データを受信し、分配する第１の動画データ分配部と、分配された一方の第１の動画データを、再生装置により再生されるコンポーネント信号に変換するコンポーネント信号変換部と、分配された他方の第１の動画データを、表示装置により表示される第２の規格に準拠した方式である第２の動画データに変換する第２の動画データ変換部とを備え、第１の動画データ分配部と、コンポーネント信号変換部と、第２の動画データ変換部とを箱状の収納部に収納したものである。
【０００８】
「撮影装置」は、動画撮影可能なものであって、例えば、動画撮影可能な一眼レフデジタルカメラであってもよい。
【０００９】
「第１の動画データ」は、撮影装置により生成される動画データであって、例えば、ＨＤＭＩ（High-Definition Multimedia Interface）規格のデータであってもよい。
【００１０】
「コンポーネント信号」は、再生装置に再生するための映像信号であって、例えば、ハイビジョン用の映像信号であってもよい。
【００１１】
「第２の動画データ」は、表示装置に表示するための映像信号であって、ＳＤＩ（Serial Digital Interface）規格のデータであってもよい。
【００１２】
本考案の撮影補助装置は、更に、収納部に備える部品に対して、電源を供給するためのバッテリーを備えたものであってもよい。
【００１３】
本考案の撮影補助装置は、更に、収納部の底部に、撮影者が肩載せするための保持部を備えたものであってもよい。この保持部は、例えばショルダーマウントであってもよい。
【００１４】
なお、上記の発明の概要は、本発明の必要な特徴の全てを列挙したものではない。また、これらの特徴群のサブコンビネーションもまた、発明となりうる。
【考案の効果】
【００１５】
本考案の撮影補助装置によれば、撮影装置より生成された第１の規格に準拠した方式の第１の動画データを受信し、分配する第１の動画データ分配部と、分配された一方の第１の動画データを、再生装置により再生されるコンポーネント信号に変換するコンポーネント信号変換部と、分配された他方の第１の動画データを、表示装置により表示される第２の規格に準拠した方式である第２の動画データに変換する第２の動画データ変換部とを備え、第１の動画データ分配部と、コンポーネント信号変換部と、第２の動画データ変換部とを箱状の収納部に収納したことにより、画像処理機能を備えた再生装置に表示される映像を介して、適切なピント合わせを行い撮影することを可能とし、箱状の収納部により、第１の動画データ分配部と、コンポーネント信号変換部と、第２の動画データ変換部とを保護することができる。
【図面の簡単な説明】
【００１６】
【図１】本考案の撮影補助装置における前面図
【図２】本考案の撮影補助装置における背面図
【図３】本考案の撮影補助装置における右側面図
【図４】本考案の撮影補助装置における左側面図
【図５】本考案の撮影補助装置における収納部内を示す図
【図６】本考案の撮影補助装置における機能構成を示すブロック図
【図７】本考案の撮影補助装置における収納部内の機能構成を示すブロック図
【符号の説明】
【００１７】
１      撮影装置
５      撮影補助装置
１０    再生装置
１５    表示装置
２０    第１の動画データ分配部
３０    コンポーネント信号変換部
４０    第２の動画データ変換部
５０    収納部
６０    バッテリー取付部
７５    バッテリー
８０    保持部
９０    ＤＣ／ＤＣコンバータ
【考案を実施するための形態】
【００１８】
本考案にかかる撮影補助装置５の一実施形態を、図面を参照しながら説明する。
【００１９】
図１〜４は、本考案の実施形態における撮影補助装置１の前面図、背面図、右側面図、左側面図を示すものである。
【００２０】
図１〜４に示す撮影補助装置１は、動画撮影可能な撮影装置１、画像処理機能を備えた再生装置１０および表示装置１５をそれぞれ接続可能な撮影補助装置５において、撮影装置１より生成された第１の規格に準拠した方式の第１の動画データを受信し、分配する第１の動画データ分配部２０と、分配された一方の第１の動画データを、再生装置１０により再生されるコンポーネント信号に変換するコンポーネント信号変換部３０と、分配された他方の第１の動画データを、表示装置１５により表示される第２の規格に準拠した方式である第２の動画データに変換する第２の動画データ変換部４０とを備え、第１の動画データ分配部２０と、コンポーネント信号変換部３０と、第２の動画データ変換部４０とを箱状の収納部５０に収納したものである。
【００２１】
図５は、収納部５０の内部を示すものである。この収納部５０は、第１の動画データ分配部２０と、コンポーネント信号変換部３０と、第２の動画データ変換部４０等により構成されている。
【００２２】
図６は、撮影補助装置５の機能構成を示すブロック図である。図６に示す如く、撮影補助装置５は、撮影装置１、再生装置１０、表示装置１５、収納部５０およびバッテリー７５等により構成される。
【００２３】
撮影装置１は、動画撮影可能なものであって、例えば、動画撮影可能な一眼レフデジタルカメラが挙げられる。また、撮影装置１は、一眼レフデジタルカメラに限定されず、例えば、その他のデジタルカメラ、カメラ付き携帯電話、カメラ付きＰＤＡ等、電子撮像機能を備えた他の電子機器に対しても適用可能である。
【００２４】
撮影装置１により生成された動画データは、第１の規格に準拠した方式の第１の動画データであって、具体的には、ＨＤＭＩ（High-Definition Multimedia Interface）規格のデータである。撮影装置１から、収納部５０内にある第１の動画データ分配部２０に動画データが送信される。なお、撮影補助装置５は、収納部５０から撮影装置１に対して、電流が供給されているものである。
【００２５】
再生装置１０は、画像処理機能を備えたビューファインダーである。具体的には、第１の動画データを映像として再生するものであって、ガンマ補正処理（γ処理）、シャープネス補正（シャープネス処理）、色補正処理、コントラスト補正等の画質補正処理を施すことを可能とする画像処理機能を有しているものである。
【００２６】
表示装置１５は、第２の動画データを表示するディスプレイ等である。具体的には、ハイビジョン用のテレビ等が挙げられる。
【００２７】
また、バッテリー７５は、収納部５０に電源を供給するものである。バッテリー７５は、図１〜４に示すようなバッテリー取付部６０に取り付けられるものである。
【００２８】
図７は、収納部内の機能構成を示すブロック図である。図７に示す如く、収納部５０は、第１の動画データ分配部２０、コンポーネント信号変換部３０および第２の動画データ変換部４０等により構成される。
【００２９】
収納部５０は箱状であって、第１の動画データ分配部２０、コンポーネント信号変換部３０および第２の動画データ変換部４０を納める筺体である。
【００３０】
収納部５０により、第１の動画データ分配部２０、コンポーネント信号変換部３０および第２の動画データ変換部４０を保護することを可能とする。また、収納部５０の筺体により、第１の動画データ分配部２０、コンポーネント信号変換部３０および第２の動画データ変換部４０の複雑な配線をユーザに見せる必要なく、ユーザにとって最小限必要な、再生装置１０や表示装置１５に接続するための端子を備えることで（複雑な配線を見せない）ユーザの取付負荷を軽減する。
【００３１】
第１の動画データ分配部２０は、第１の動画データを、コンポーネント信号変換部３０と、第２の動画データ変換部４０とに分配する。
【００３２】
コンポーネント信号変換部３０は、第１の動画データ分配部２０から分配された一方の第１の動画データを、再生装置１０により再生されるコンポーネント信号に変換するものである。例えば、コンポーネント信号は、ハイビジョン用の映像信号である。
【００３３】
第２の動画データ変換部４０は、第１の動画データ分配部２０から分配された他方の第１の動画データを、表示装置１５により表示される第２の規格に準拠した方式である第２の動画データに変換するものである。例えば、第２の動画データは、ＳＤＩ（Serial Digital Interface）規格のデータである。
【００３４】
撮影補助装置５は、収納部５０に備える部品に対して、電源を供給するためのバッテリー７５を備えたものである。
【００３５】
また、撮影補助装置５は、更に、収納部５０の底部に、撮影者が肩載せするための保持部８０を備えたものである。この保持部８０は、図１〜４に示すような、ショルダーマウントが挙げられる。また、撮影補助装置５は、更に、フォロフォーカス、マットボックス、その他のカメラサポートシステムを備えるものであってもよい。
【００３６】
本考案の撮影補助装置１０によれば、撮影装置１より生成された第１の規格に準拠した方式の第１の動画データを受信し、分配する第１の動画データ分配部２０と、分配された一方の第１の動画データを、再生装置１０により再生されるコンポーネント信号に変換するコンポーネント信号変換部３０と、分配された他方の第１の動画データを、表示装置１５により表示される第２の規格に準拠した方式である第２の動画データに変換する第２の動画データ変換部４０とを備え、第１の動画データ分配部２０と、コンポーネント信号変換部３０と、第２の動画データ変換部とを箱状の収納部５０に収納したことにより、画像処理機能を備えた再生装置に表示される映像を介して、適切なピント合わせを行い撮影することを可能とし、箱状の収納部により、第１の動画データ分配部と、コンポーネント信号変換部と、第２の動画データ変換部とを保護することができる。
【図６】
0003162949.tif 000003
【図７】
0003162949.tif 000004
【図１】
0003162949.tif 000005
【図２】
0003162949.tif 000006
【図３】
0003162949.tif 000007
【図４】
0003162949.tif 000008
【図５】
0003162949.tif 000009